(57)【要約】【課題】  大量生産を行っている生産者が、一定期間栽培瓶を上下逆さに反転させて行う栽培方法を取り入れることができるように、多くの栽培瓶を一度に素早く上下逆さに反転させることができるきのこ栽培瓶の反転方法を提供する。【解決手段】  コンテナ９内の栽培瓶８の上部に空の上下逆さのコンテナ１０を被着してこれらコンテナ９、１０で栽培瓶８を上下から挟み、この状態で両コンテナ９、１０を上下逆さに反転させ、この反転の後に栽培瓶８の上部にあるコンテナ９を取り除いて、栽培瓶８が上下逆さになるようにする。【選択図】  図１
2008067653.tif 000002
【特許請求の範囲】
【請求項１】
きのこの栽培過程において栽培瓶を上下逆さに反転させる反転方法であって、コンテナ内の栽培瓶の上部に空の上下逆さのコンテナを被着してこれらコンテナで栽培瓶を上下から挟み、この状態で両コンテナを上下逆さに反転させ、この反転の後に栽培瓶の上部にあるコンテナを取り除いて栽培瓶を上下逆さに反転させるきのこ栽培瓶の反転方法。
【請求項２】
きのこの栽培過程において栽培瓶を上下逆さに反転させる反転装置であって、栽培瓶を収容したコンテナをセットするコンテナ台部と、同コンテナ台部にセットされたコンテナ内における栽培瓶の上部に対して所定のコンテナを被着もしくは取り除くコンテナ操作部と、コンテナ台部にセットされた反転処理待ちのコンテナを反転させる反転操作部とで構成しており、前記コンテナ台部に栽培瓶を収容するコンテナをセットすると、前記コンテナ操作部により、コンテナ内における栽培瓶の上部に対して空の上下逆さのコンテナが被着され、次に前記反転操作部により、栽培瓶上下の両コンテナによる栽培瓶の挟着状態を保持したままこの両コンテナが前記コンテナ台部の上方に上げられて栽培瓶が上下逆さになるように両コンテナが反転されてその後この両コンテナがコンテナ台部に下ろされ、次に前記コンテナ操作部により、コンテナ内における栽培瓶の上部にあるコンテナが取り除かれるように構成してなるきのこ栽培瓶の反転装置。
【請求項３】
前記コンテナ台部が、栽培瓶を収容するコンテナを規定位置に自動で引き入れてセットできるように構成してなる請求項２に記載のきのこ栽培瓶の反転装置。
【請求項４】
前記コンテナ台部が、栽培瓶を収容するコンテナを規定位置に自動で引き入れてセットできるとともに、この規定位置から所望の位置に自動で送り出すことができるように構成してなる請求項２に記載のきのこ栽培瓶の反転装置。
【請求項５】
前記コンテナ台部が、栽培瓶を収容したコンテナを一方向に通過できるように構成してなる請求項２に記載のきのこ栽培瓶の反転装置。
【請求項６】
前記反転操作部における栽培瓶上下の両コンテナによる栽培瓶の挟着状態の保持が、保持部材を前記両コンテナの対向する側面にそれぞれ圧接させることにより、栽培瓶上下の両コンテナによる栽培瓶の挟着状態を保持できるようにしてなる請求項２に記載のきのこ栽培瓶の反転装置。
【発明の詳細な説明】
【技術分野】
【０００１】
本発明は、きのこの人工栽培において、栽培瓶を一定期間反転させた状態にして行う栽培方法を実施する際に用いるきのこ栽培瓶の反転方法とこの反転方法によるきのこ栽培瓶の反転装置に関し、より詳しくは、多くの栽培瓶を一度にかつ素早く上下逆さに反転させることができるきのこ栽培瓶の反転方法とこの反転方法によるきのこ栽培瓶の反転装置に関する。
【背景技術】
【０００２】
栽培瓶を上下逆さに反転させる反転装置には、栽培瓶内の不要物を栽培瓶の瓶口から外部に取り出す際にこの取り出し作業をし易くするために用いるもの（例えば、特許文献１参照）があり、この装置は栽培瓶が反転装置に装着されているときだけ栽培瓶を上下逆さの反転状態にできるものである。
【０００３】
そして、栽培瓶を上下逆さに反転させる時は、上述のように、栽培瓶内の不要物を栽培瓶の瓶口から外部に取り出す時だけに限るものではなく、栽培方法によっては栽培途中に栽培瓶を上下逆さに反転させる必要があった。
この栽培方法によれば、栽培瓶を一定期間上下逆さの倒立状態にして栽培することで、容姿に優れた高品質のきのこを収穫できるというものである。
【０００４】
しかしながら、この栽培方法を実施する場合、栽培瓶を効率よく上下逆さに反転させることができる反転装置が提供されていないため、生産者は、栽培瓶を１本１本手作業によって上下逆さに反転させなければならなかった。
【０００５】
このため、きのこの大量生産を行っている生産者においては、容姿に優れた高品質のきのこを収穫できると知りつつも、栽培途中で２回行わなければならない大量の栽培瓶の反転作業に掛かる手間と時間を考慮すると、この栽培方法を取り入れることができなかった。
【０００６】
【特許文献１】特公平０４−０２１４４５号公報（第１〜６頁、第１〜３図）
【発明の開示】
【発明が解決しようとする課題】
【０００７】
本発明は、大量生産を行っている生産者が、一定期間栽培瓶を上下逆さに反転させて行う栽培方法を取り入れることができるように、多くの栽培瓶を一度に素早く上下逆さに反転させることができるきのこ栽培瓶の反転方法とこの反転方法によるきのこ栽培瓶の反転装置を提供できるようにした。
【課題を解決するための手段】
【０００８】
上述した課題を解決するために、本発明に係るきのこ栽培瓶の反転方法は、きのこの栽培過程において栽培瓶を上下逆さに反転させる反転方法であって、コンテナ内の栽培瓶の上部に空の上下逆さのコンテナを被着してこれらコンテナで栽培瓶を上下から挟み、この状態で両コンテナを上下逆さに反転させ、この反転の後に栽培瓶の上部にあるコンテナを取り除いて栽培瓶を上下逆さに反転させるものとしてある。
【０００９】
また、きのこの栽培過程において栽培瓶を上下逆さに反転させる反転装置であって、栽培瓶を収容したコンテナをセットするコンテナ台部と、同コンテナ台部にセットされたコンテナ内における栽培瓶の上部に対して所定のコンテナを被着もしくは取り除くコンテナ操作部と、コンテナ台部にセットされた反転処理待ちのコンテナを反転させる反転操作部とで構成しており、前記コンテナ台部に栽培瓶を収容するコンテナをセットすると、前記コンテナ操作部により、コンテナ内における栽培瓶の上部に対して空の上下逆さのコンテナが被着され、次に前記反転操作部により、栽培瓶上下の両コンテナによる栽培瓶の挟着状態を保持したままこの両コンテナが前記コンテナ台部の上方に上げられて栽培瓶が上下逆さになるように両コンテナが反転されてその後この両コンテナがコンテナ台部に下ろされ、次に前記コンテナ操作部により、コンテナ内における栽培瓶の上部にあるコンテナが取り除かれるように構成したものとしてある。
【００１０】
また前記コンテナ台部が、栽培瓶を収容するコンテナを規定位置に自動で引き入れてセットできるように構成したものとしてある。
【００１１】
また前記コンテナ台部が、栽培瓶を収容するコンテナを規定位置に自動で引き入れてセットできるとともに、この規定位置から所望の位置に自動で送り出すことができるように構成したものとしてある。
【００１２】
さらに前記コンテナ台部が、栽培瓶を収容するコンテナを一方向に通過できるように構成したものとしてある。
【００１３】
また前記反転操作部における栽培瓶上下の両コンテナによる栽培瓶の挟着状態の保持が、保持部材を前記両コンテナの対向する側面にそれぞれ圧接させることにより、栽培瓶上下の両コンテナによる栽培瓶の挟着状態を保持できるようにしたものとしてある。
【発明の効果】
【００１４】
本発明のきのこ栽培瓶の反転方法とこの反転方法によるきのこ栽培瓶の反転装置によれば、種菌が植えられた栽培瓶は栽培の当初よりコンテナに収容されているので、栽培瓶を反転させる時期が来た場合は、栽培瓶をコンテナごと本発明に係る反転装置にセットすることで、この反転装置によって栽培瓶が上下逆さに反転されるとともに、この上下逆さに反転した栽培瓶が他のコンテナに収容された状態で反転装置から取り出すことができる。
【００１５】
これにより、従来、きのこの大量生産を行っている生産者が取り入れることができなかった栽培瓶を一定期間上下逆さの倒立状態にして栽培する栽培方法を、本発明に係る反転装置を用いることで、栽培途中で２回行わなければならない大量の栽培瓶の反転作業を容易かつ短時間で行うことができるようになるため、きのこの大量生産を行っている生産者においても容姿に優れた高品質のきのこを収穫することができる。
【発明を実施するための最良の形態】
【００１６】
以下、本発明のきのこ栽培瓶の反転方法とこの反転方法によるきのこ栽培瓶の反転装置を添付図面に基づいて説明する。
本発明に係る反転方法は、コンテナ内の栽培瓶の上部に空のコンテナを被着してこれらコンテナで栽培瓶を上下から挟み、この状態で両コンテナを上下逆さに反転させ、この反転の後に栽培瓶の上部にあるコンテナを取り除いて栽培瓶を上下逆さに反転させる反転方法であり、添付図面で示す反転装置の反転動作行程に基づいて詳しく説明する。
【００１７】
図１は、本発明に係る反転装置の一例を示す概略構造正面図、図２は、図１の反転装置の側面図であり、初期状態として、反転装置１のコンテナ操作部６の挟持ハンド６ａには空の上下逆さのコンテナ１０がその前後外壁を挟持ハンド６ａによって挟持されている。
【００１８】
そして、栽培瓶８を収容するコンテナ９が、作業者によってコンテナ台部５にセットされ、操作盤４の開始ボタン（図示は省略）が押されることによって栽培瓶８の反転処理が開始される。
【００１９】
また、図１１に示すように、作業ラインに反転装置１を配設している場合は、栽培瓶８を収容するコンテナ９が、コンテナ台部５の転駆動部５ｃによって駆動される駆動ローラ５ａにより、図１１中の（←入の方向）から規定位置に引き入れられる。そして、反転処理が終了すると、コンテナ台部５の転駆動部５ｃによって駆動される駆動ローラ５ａにより、図１１中の（←出の方向）装置の外部に排出される。したがって、コンテナは反転装置１に対して一方向に通過できるようにしている。
【００２０】
栽培瓶８の反転処理行程を図３〜図１０の反転動作行程図によって説明する。反転動作行程は、栽培瓶８を収容するコンテナ９がコンテナ台部５にセットされた状態から説明する。
【００２１】
反転装置１による反転処理が開始されると、図３に示すように、コンテナ操作部６の挟持ハンド６ａによってその前後外壁を挟持されている空の上下逆さのコンテナ１０が昇降駆動部６ｂによってコンテナ台部５方向に下降し、そのコンテナ台部５上のコンテナ９内における栽培瓶８の上部に被される。その後に挟持ハンド６ａによるコンテナ１０の挟持が解除され、挟持ハンド６ａは昇降駆動部６ｂによって上昇して初期位置に戻る。
【００２２】
次に、図４に示すように、コンテナ９、１０における左右外壁に向かって反転操作部７の挟持ハンド７ａ、７ｂが突出し、そのコンテナ９、１０における左右外壁に圧接してコンテナ９、１０を挟持する。
【００２３】
次に、図５に示すように、挟持ハンド７ａ、７ｂでコンテナ９、１０を挟持した状態で、コンテナ支持・反転部７ｃが昇降駆動部７ｄによってコンテナ台部５の上方に上昇する。
【００２４】
次に、図６に示すように、挟持ハンド７ａ、７ｂで挟持されたコンテナ９、１０がコンテナ支持・反転部７ｃに設けたモータ等の反転手段によって上下逆さに反転する。
【００２５】
次に、図７に示すように、コンテナ支持・反転部７ｃによって上下逆さに反転したコンテナ９、１０が昇降駆動部７ｄによってコンテナ台部５に向かって下降する。
【００２６】
次に、図８に示すように、コンテナ９、１０を挟持している挟持ハンド７ａ、７ｂが初期位置に戻り、挟持ハンド７ａ、７ｂによるコンテナ９、１０の挟持が解除される。
【００２７】
次に、図９に示すように、初期位置にあるコンテナ操作部６の挟持ハンド６ａが昇降駆動部６ｂによってコンテナ台部５方向に下降し、そのコンテナ台部５上のコンテナ１０内における栽培瓶８に被さるコンテナ９を挟持する。
【００２８】
次に、図１０に示すように、コンテナ９を挟持した挟持ハンド６ａが昇降駆動部６ｂによって上昇して初期位置に戻って次の反転処理に備える。そして、コンテナ台部５には上下逆さに反転された栽培瓶８がコンテナ１０に収容されて残り、このコンテナ１０が、作業者によってコンテナ台部５から取り出され、またコンテナ台部５の転駆動部５ｃによって駆動される駆動ローラ５ａによって装置の外部に排出される。
【００２９】
上述では、瓶口を上方に向けて立つ正立状態の栽培瓶８に対し、この栽培瓶８を上下逆さに反転させて瓶口を下方に向けて立つ倒立状態にして反転装置１の外部に排出（取り出し）される動作行程の説明であるが、反転装置１のコンテナ台部５にセットする栽培瓶８が、瓶口を下方に向けて立つ倒立状態の栽培瓶８であった場合でも、反転装置１における反転動作行程は上述の動作行程と同じであり、この反転動作は、瓶口を下方に向けて立つ倒立状態の栽培瓶８に対し、この栽培瓶８を上下逆さに反転させて瓶口を上方に向けて立つ正立状態にして反転装置１の外部に排出（取り出し）する。
【００３０】
図中の符号において、２はコンテナ操作部６の支持とともに反転操作部７におけるコンテナ支持・反転部７ｃの昇降用ガイドとなる支柱、３は反転装置１の移動用のキャスタ、５ｂは駆動ローラ５ａの軸、６ｃは挟持ハンド６ａの昇降用のロッド、１１はライン台、１２はライン台１１のジャッキ脚である。
【図面の簡単な説明】
【００３１】
【図１】本発明に係る反転装置の一例を示す概略構造正面図。
【図２】図１の反転装置の側面図。
【図３】反転装置の反転動作行程図。
【図４】反転装置の反転動作行程図。
【図５】反転装置の反転動作行程図。
【図６】反転装置の反転動作行程図。
【図７】反転装置の反転動作行程図。
【図８】反転装置の反転動作行程図。
【図９】反転装置の反転動作行程図。
【図１０】反転装置の反転動作行程図。
【図１１】ラインに組み込まれた反転装置を示す図。
【符号の説明】
【００３２】
１  反転装置
２  支柱
３  キャスタ
４  操作盤
５  コンテナ台部
５ａ  駆動ローラ
５ｂ  軸
５ｃ  回転駆動部
６  コンテナ操作部
６ａ  挟持ハンド
６ｂ  昇降駆動部
６ｃ  ロッド
７  反転操作部
７ａ  挟持ハンド
７ｂ  挟持ハンド
７ｃ  コンテナ支持・反転部
７ｄ  昇降駆動部
８  栽培瓶
９  コンテナ
１０  コンテナ
１１  ライン台
１２  ジャッキ脚
【図１】
2008067653.tif 000003
【図２】
2008067653.tif 000004
【図３】
2008067653.tif 000005
【図４】
2008067653.tif 000006
【図５】
2008067653.tif 000007
【図６】
2008067653.tif 000008
【図７】
2008067653.tif 000009
【図８】
2008067653.tif 000010
【図９】
2008067653.tif 000011
【図１０】
2008067653.tif 000012
【図１１】
2008067653.tif 000013